【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
１ゲームに対して賭数を設定することによりゲームを開始させることが可能となり、各々が識別可能な複数種類の識別情報を変動表示可能な可変表示装置の表示結果が導出表示されることにより１ゲームが終了し、該可変表示装置の表示結果に応じて所定の入賞が発生可能であるスロットマシンにおいて、
遊技の進行を制御すると共に、遊技の進行状況に応じた制御情報を送信する遊技制御手段と、
前記遊技制御手段から送信された制御情報を受信し、該受信した制御情報に基づいて、前記可変表示装置とは別個に設けられた第１の演出装置及び第２の演出装置を用いて前記遊技に関する演出の実行を制御する演出制御手段と、
を備え、
前記遊技制御手段は、
前記可変表示装置の表示制御を行う表示制御手段と、
前記所定の入賞の発生を許容する旨を、所定の確率で事前に決定する事前決定手段と、
所定の設定変更許可条件が成立している設定変更期間において、少なくとも前記所定の確率に基づいて算出される払出率について設定された段階を変更するための設定変更操作手段が操作されることによって、前記設定された段階を変更する設定変更手段と、
前記設定変更期間が開始したときに設定開始制御情報を前記演出制御手段に送信する設定開始制御情報送信手段と、
前記設定変更期間が終了したときに設定終了制御情報を前記演出制御手段に送信する設定終了制御情報送信手段と、
前記設定変更期間が開始してから終了するまでの間、設定変更中である旨を示す外部出力信号を外部機器に対して出力する外部出力信号出力手段と、
を含み、
前記演出制御手段は、
前記設定開始制御情報を受信したときに、前記第１の演出装置を用いて前記設定変更期間中である旨を示す設定変更中報知を開始し、前記設定終了制御情報を受信した後、遊技場の従業員が認識可能な程度の予め定められた所定時間が経過したときに該設定変更中報知を終了させる設定変更中報知手段を含み、
前記設定終了制御情報を受信した後、前記所定時間が経過するまでの間に前記遊技制御手段から前記制御情報を新たに受信した場合に、前記設定変更中報知を前記第１の演出装置にて継続したまま該受信した制御情報に基づく演出を前記第２の演出装置にて行う
ことを特徴とするスロットマシン。
【手続補正２】
【補正対象書類名】明細書
【補正対象項目名】０００７
【補正方法】変更
【補正の内容】
【０００７】
上記課題を解決するために、本発明の請求項１に記載のスロットマシンは、
１ゲームに対して賭数を設定することによりゲームを開始させることが可能となり、各々が識別可能な複数種類の識別情報を変動表示可能な可変表示装置の表示結果が導出表示されることにより１ゲームが終了し、該可変表示装置の表示結果に応じて所定の入賞が発生可能であるスロットマシンにおいて、
遊技の進行を制御すると共に、遊技の進行状況に応じた制御情報を送信する遊技制御手段と、
前記遊技制御手段から送信された制御情報を受信し、該受信した制御情報に基づいて、前記可変表示装置とは別個に設けられた第１の演出装置及び第２の演出装置を用いて前記遊技に関する演出の実行を制御する演出制御手段と、
を備え、
前記遊技制御手段は、
前記可変表示装置の表示制御を行う表示制御手段と、
前記所定の入賞の発生を許容する旨を、所定の確率で事前に決定する事前決定手段と、
所定の設定変更許可条件が成立している設定変更期間において、少なくとも前記所定の確率に基づいて算出される払出率について設定された段階を変更するための設定変更操作手段が操作されることによって、前記設定された段階を変更する設定変更手段と、
前記設定変更期間が開始したときに設定開始制御情報を前記演出制御手段に送信する設定開始制御情報送信手段と、
前記設定変更期間が終了したときに設定終了制御情報を前記演出制御手段に送信する設定終了制御情報送信手段と、
前記設定変更期間が開始してから終了するまでの間、設定変更中である旨を示す外部出力信号を外部機器に対して出力する外部出力信号出力手段と、
を含み、
前記演出制御手段は、
前記設定開始制御情報を受信したときに、前記第１の演出装置を用いて前記設定変更期間中である旨を示す設定変更中報知を開始し、前記設定終了制御情報を受信した後、遊技場の従業員が認識可能な程度の予め定められた所定時間が経過したときに該設定変更中報知を終了させる設定変更中報知手段を含み、
前記設定終了制御情報を受信した後、前記所定時間が経過するまでの間に前記遊技制御手段から前記制御情報を新たに受信した場合に、前記設定変更中報知を前記第１の演出装置にて継続したまま該受信した制御情報に基づく演出を前記第２の演出装置にて行う
ことを特徴としている。
この特徴によれば、所定の設定変更許可条件が成立している設定変更期間において、設定変更期間中である旨が報知されるので、払出率について設定された段階（以下設定値と称す）を不正に変更しようとした場合には、その旨を遊技場の従業員が容易に発見できるようになるので、不正に払出率の設定値を変更してしまう不正行為を防止することができる。
また、設定変更期間が終了しても引き続き所定期間は設定変更期間中である旨が継続して報知されるので、払出率の設定値が不正に変更された場合でも、その旨を従業員がより発見しやすくなるので、不正に払出率の設定値を変更してしまう不正行為を一層効果的に防止することができる。
尚、所定数の賭け数とは、少なくとも１以上の賭け数であって、２以上の賭け数が設定されることや最大賭け数が設定されることでゲームが開始可能となるようにしても良い。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００９７
【補正方法】変更
【補正の内容】
【００９７】
本発明の請求項１は、
１ゲームに対して賭け数を設定することによりゲームを開始させることが可能となり、各々が識別可能な複数種類の識別情報を変動表示可能な可変表示装置２の表示結果が導出表示されることにより１ゲームが終了し、該可変表示装置の表示結果に応じて所定の入賞が発生可能であるスロットマシン１において、
遊技の進行を制御すると共に、遊技の進行状況に応じた制御情報（コマンド）を送信する遊技制御手段（制御部１１０）と、
前記遊技制御手段（制御部１１０）から送信された制御情報（コマンド）を受信し、該受信した制御情報（コマンド）に基づいて、第１の演出装置及び第２の演出装置を用いて前記遊技に関する演出の実行を制御する演出制御手段（制御部１２０）と、
を備え、
前記遊技制御手段（制御部１１０）は、
前記可変表示装置２の表示制御を行う表示制御手段と、
前記所定の入賞の発生を許容する旨を、所定の確率で事前に決定する事前決定手段｛制御部１１０（抽選処理）｝と、
所定の設定変更許可条件が成立している設定変更期間（設定キースイッチ９２をＯＮ状態として電源ＯＮとなったときからスタートレバー１１が操作されて設定キースイッチ９２がｏｆｆとなるまでの期間）において、少なくとも前記所定の確率に基づいて算出される払出率について設定された段階（設定値）を変更するための設定変更操作手段（設定スイッチ９１）が操作されることによって、前記設定された段階を変更する設定変更手段｛制御部１１０（電源投入時処理）｝と、
前記設定変更期間が開始したときに設定開始制御情報（初期化コマンド）を前記演出制御手段（制御部１２０）に送信する設定開始制御情報送信手段と、
前記設定変更期間が終了したときに設定終了制御情報（状態コマンド）を前記演出制御手段（制御部１２０）に送信する設定終了制御情報送信手段と、
前記設定変更期間が開始してから終了するまでの間、設定変更中である旨を示す外部出力信号を外部機器に対して出力する外部出力信号出力手段（外部出力基板１０５）と、
を含み、
前記演出制御手段は、
前記設定開始制御情報（初期化コマンド）を受信したときに、前記第１の演出装置を用いて前記設定変更期間中である旨を示す設定変更中報知を開始し、前記設定終了制御情報（状態コマンド）を受信した後、遊技場の従業員が認識可能な程度の予め定められた所定時間（３０秒）が経過したときに該設定変更中報知を終了させる設定変更中報知手段｛制御部１２０（設定変更中報知）｝を含み、
前記設定終了制御情報（状態コマンド）を受信した後、前記所定時間（３０秒）が経過するまでの間に前記遊技制御手段（制御部１１０）から前記制御情報（コマンド）を新たに受信した場合に、前記設定変更中報知を前記第１の演出装置にて継続したまま該受信した制御情報に基づく演出を前記第２の演出装置にて行う。
【手続補正１２】
【補正対象書類名】明細書
【補正対象項目名】００９８
【補正方法】削除
【補正の内容】
【手続補正１３】
【補正対象書類名】明細書
【補正対象項目名】００９９
【補正方法】削除
【補正の内容】
【手続補正１４】
【補正対象書類名】明細書
【補正対象項目名】０１００
【補正方法】削除
【補正の内容】
【手続補正１５】
【補正対象書類名】明細書
【補正対象項目名】０１０１
【補正方法】削除
【補正の内容】
【手続補正１６】
【補正対象書類名】明細書
【補正対象項目名】０１０２
【補正方法】削除
【補正の内容】
【手続補正１７】
【補正対象書類名】明細書
【補正対象項目名】０１０３
【補正方法】削除
【補正の内容】
【手続補正１８】
【補正対象書類名】明細書
【補正対象項目名】０１０４
【補正方法】削除
【補正の内容】
【手続補正１９】
【補正対象書類名】明細書
【補正対象項目名】０１０５
【補正方法】削除
【補正の内容】